(57)【要約】【課題】この発明は、マンコンベアの監視装置が設置された場所の電波の送受信の感度が悪くとも、監視装置と監視センタとの間での無線による通信が確実にできるようにしたマンコンベア遠隔監視システムを得る。【解決手段】エスカレータ１の運行を制御する制御盤１５が上部機械室６内に設置され、エスカレータ制御盤１５の運行データに基づいてエスカレータ１の運行状態を監視するとともに、監視センタ２０に対して監視情報を送受信する監視装置１６が上部機械室６内に設置されている。そして、アンテナ１７が、監視装置１６から分離されてブーツ１８に内蔵されている。さらに、アンテナ１７が、配線１９を介して監視装置１６に接続されている。【選択図】図１
2006151670.tif 000002
【特許請求の範囲】
【請求項１】
機械室内に設置されてマンコンベアの運行を制御する制御盤と、
上記機械室内に設置されて、上記制御盤の運行データに基づいてマンコンベアの運行状態を監視するとともに、監視センタに対して監視情報を送受信する監視装置と、
上記機械室外のマンコンベア備品に内蔵され、上記監視装置に配線を介して接続されたアンテナと、
を備えたことを特徴とするマンコンベア遠隔監視システム。
【発明の詳細な説明】
【技術分野】
【０００１】
この発明は、マンコンベア遠隔監視システムに関し、特にそのシステムに於けるアンテナの取り付けに関するものである。
【背景技術】
【０００２】
従来のエスカレータ遠隔監視システムでは、エスカレータおよびその周辺を撮像して撮像データを取得する撮像装置と、取得された撮像データと予め取得・記憶されている背景データとの差から物体を特定し、その特徴データを抽出する特徴抽出手段、抽出された特徴データを時系列に蓄積する特徴時系列蓄積手段、蓄積された特徴時系列データを時間的に処理し、その結果を所定の判定基準と対比し、判定結果を出力する事象判定手段、判定信号を送信するワイヤレス伝送部などからなる画像センサ処理部と、を備えている。そして、判定結果に基づいて、エスカレータの運転変更が生じた場合、ワイヤレス伝送部から、エスカレータ本体の伝送部に判定信号を伝送する。この伝送部は受信した判定信号をエスカレータ装置に送信し、エスカレータの運転が変更される。また、保守会社への連絡が必要な場合には、ワイヤレス伝送部から、管理人室や保守装置へ判定信号を伝送し、保守会社への連絡を行う。（例えば、特許文献１参照。）
【０００３】
【特許文献１】特開平１０−２６５１６３号公報
【発明の開示】
【発明が解決しようとする課題】
【０００４】
従来のエスカレータ遠隔監視システムでは、その図１に示されるように、エスカレータ装置と伝送部は、エスカレータ本体内の上部機械室に設置されている。そこで、上部機械室内での電波の送受信の感度が悪くなり、エスカレータと異なる位置に設置された画像センサ処理部のワイヤレス伝送部と上部機械室内の伝送部との間での無線による通信がし難くなる、という不具合が生じる。
そこで、画像センサ処理部を上記機械室に設置し、判定信号を直接エスカレータ装置に送信するようにすることも考えられるが、画像センサ処理部のワイヤレス伝送部と管理人室や保守装置との間での無線による通信がし難くなってしまう。
【０００５】
この発明は、マンコンベアの監視装置が設置された場所の電波の送受信の感度が悪くとも、監視装置と監視センタとの間での無線による通信が確実にできるようにしたマンコンベア遠隔監視システムを得ることを目的とする。
【課題を解決するための手段】
【０００６】
この発明は、機械室内に設置されてマンコンベアの運行を制御する制御盤と、上記機械室内に設置されて、上記制御盤の運行データに基づいてマンコンベアの運行状態を監視するとともに、監視センタに対して監視情報を送受信する監視装置と、上記機械室外のマンコンベア備品に内蔵され、上記監視装置に配線を介して接続されたアンテナと、を備えたものである。
【発明の効果】
【０００７】
この発明によれば、アンテナが監視装置から分離され、機械室外のマンコンベア備品に内蔵されている。そこで、監視装置の設置場所における電波の送受信の感度が悪くとも、電波の送受信の感度が向上され、監視装置と監視センタとの間での無線による通信が確実にできる。
【発明を実施するための最良の形態】
【０００８】
実施の形態１．
図１はこの発明の実施の形態１に係るマンコンベア遠隔監視システムの構成を説明する図、図２はこの発明の実施の形態１に係るマンコンベア遠隔監視システムにおける上部機械室内部の構成を模式的に示す斜視図、図３はこの発明の実施の形態１に係るマンコンベア遠隔監視システムにおけるアンテナ取り付け構造を説明する図である。
【０００９】
各図において、マンコンベアとしてのエスカレータ１は、乗客が乗る踏み板２の両側に一対の欄干３が立設され、移動手摺り４が各欄干３の周縁部に配設されて構成されている。そして、駆動モータ８および上部踏み板スプロケット９が、エスカレータ１のトラスフレーム５内の上部機械室６に内蔵されている。また、下部踏み板スプロケット１０がトラスフレーム５内の下部機械室７に内蔵されている。そして、無端状の駆動チェーン１１が駆動モータ８と上部踏み板スプロケット９とに巻き掛けられ、さらに無端状の踏み板チェーン１２が上部踏み板スプロケット９と下部踏み板スプロケット１０に巻き掛けられている。
また、移動手摺り駆動スプロケット１３が上部踏み板スプロケット９と一体的に軸装されている。そして、移動手摺り駆動機構部（図示せず）がトラスフレーム５内に配設され、移動手摺り駆動スプロケット１３に巻き掛けられた移動手摺りチェーン１４を介して動力が伝達されるようになっている。
【００１０】
また、エスカレータ制御盤１５が上部機械室６内に設置され、監視装置１６がエスカレータ制御盤１５に接続されて、上部機械室６内に設置されている。エスカレータ制御盤１５はエスカレータ１の運行を制御するものである。監視装置１６は、ＣＰＵ、ＲＯＭ、ＲＡＭなどからなるマイクロコンピュータおよび通信手段などを備え、エスカレータ１の運行状態を監視するとともに、建物内の管理室や外部の保守会社などの監視センタ２０に対して監視情報を送受信する。また、送受信用のアンテナ１７がインレット部のブーツ１８に設置され、配線１９により監視装置１６の通信手段に接続されている。
【００１１】
このように構成されたエスカレータ遠隔監視システムでは、エスカレータ制御盤１５が、エスカレータ１の電源スイッチ（図示せず）の出力信号に基づいてエスカレータ１の運行を制御する。
そして、電源スイッチがＯＮされると、駆動モータ８が駆動される。この駆動モータ８の動力が駆動チェーン１１を介して踏み板スプロケット９に伝達され、踏み板チェーン１２が走行され、踏み板２が移動する。同時に、駆動モータ８の動力が移動手摺り駆動スプロケット１３に伝達され、移動手摺りチェーン１４を介して移動手摺り駆動機構部に伝達される。これにより、移動手摺り４が踏み板２に同期して移動する。
【００１２】
このエスカレータ１においては、図示していないが、機器の異常を検出する異常検出装置が備えられており、エスカレータ制御盤１５が異常検出装置からの出力信号を監視している。
そして、異常が発生した場合、エスカレータ制御盤１５は、異常検出装置からの出力信号に基づいて異常発生を判断し、駆動モータ８の駆動を停止してエスカレータ１を停止するとともに、異常状態を示すデータを監視装置１６に送信する。監視装置１６は、異常状態を示すデータを受信すると、通信手段を作動させ、アンテナ１７を介して異常状態を示すデータを監視センタ２０に送信する。
【００１３】
このように、アンテナ１７が、電波の送受信の感度の悪い上部機械室６外のインレット部のブーツ１８に内蔵されている。そこで、電波の送受信の感度が向上し、監視装置１６と監視センタ２０との間の無線による送受信が確実に行われる。また、第三者のいたずらを防止することができる。
【００１４】
実施の形態２．
図４はこの発明の実施の形態２に係るマンコンベア遠隔監視システムの構成を説明する図である。
図４において、光電装置ポスト２１がエスカレータ１の乗降口に立設されている。この光電装置ポスト２１に内蔵されている光電装置（人感センサ）が、利用者の到来を検知するものである。そして、アンテナ１７が光電装置ポスト２１に配設されている。
なお、他の構成は上記実施の形態１と同様に構成されている。
【００１５】
この実施の形態２では、エスカレータ制御盤１５が、乗降口に設置した光電装置ポスト２１に内蔵されている光電装置の出力信号をモニターしている。そして、光電装置の出力信号に基づいて利用者の到来を判別すると、駆動モータ８を駆動して、エスカレータを運転する。
そして、異常が発生した場合、エスカレータ制御盤１５は、異常検出装置からの出力信号に基づいて異常発生を判断し、駆動モータ８の駆動を停止してエスカレータ１を停止するとともに、異常状態を示すデータを監視装置１６に送信する。そして、監視装置１６は、異常状態を示すデータを受信すると、通信手段を作動させ、アンテナ１７を介して異常状態を示すデータを監視センタ２０に送信する。
【００１６】
この実施の形態２においても、アンテナ１７は、電波の送受信の感度の悪い上部機械室６外の光電装置ポスト２１に内蔵されている。そこで、電波の送受信の感度が向上し、監視装置１６と監視センタ２０との間の無線による送受信が確実に行われる。また、第三者のいたずらを防止することができる。さらに、配線１９は、エスカレータ制御盤１５と光電装置ポスト２１とを接続する配線と同じ経路を利用して敷設することができる。
【００１７】
なお、上記各実施の形態では、エスカレータに適用するものとして説明しているが、本発明はエスカレータ以外のマンコンベア、例えば動く歩道に適用しても、同様の効果が得られる。ここで、動く歩道における踏み面は、エスカレータのように階段状ではなく、平面状であり、パレット式およびゴムベルト式の踏み板となる。
また、上記各実施の形態では、監視装置１６とエスカレータ制御盤１５とを別構成に構成するものとしているが、監視装置１６をエスカレータ制御盤１５に一体に構成するようにしてもよい。
また、上記各実施の形態では、アンテナ１７をブーツ１８や光電装置ポスト２１に配設するものとしているが、アンテナ１７の設置場所はこれに限定されるものではなく、機械室外にあるマンコンベア備品であればよく、例えば欄干構成備品や非常止めスイッチボックスでもよい。
【図面の簡単な説明】
【００１８】
【図１】この発明の実施の形態１に係るマンコンベア遠隔監視システムの構成を説明する図である。
【図２】この発明の実施の形態１に係るマンコンベア遠隔監視システムにおける上部機械室内部の構成を模式的に示す斜視図である。
【図３】この発明の実施の形態１に係るマンコンベア遠隔監視システムにおけるアンテナ取り付け構造を説明する図である。
【図４】この発明の実施の形態２に係るマンコンベア遠隔監視システムの構成を説明する図である。
【符号の説明】
【００１９】
１  エスカレータ（マンコンベア）、６  上部機械室、１５  エスカレータ制御盤、１６  監視装置、１７  アンテナ、１８  ブーツ（マンコンベア備品）、１９  配線、２０  監視センタ、２１  光電装置ポスト（マンコンベア備品）。
【図１】
2006151670.tif 000003
【図２】
2006151670.tif 000004
【図３】
2006151670.tif 000005
【図４】
2006151670.tif 000006